(57)【特許請求の範囲】
【請求項１】
太陽光の反射光が目標地点に向かうように前記反射光の反射方向を調整する調整装置であって、
前記太陽光を反射する平面鏡と、
前記平面鏡から得られる前記反射光の反射方向が所定平面に沿って変化するように、前記平面鏡を回動させる第１回動機構と、
前記目標地点を確認するための照準用望遠鏡と、
前記照準用望遠鏡の望遠方向が前記所定平面に沿って変化するように、前記平面鏡が第１角度だけ回動することに連動して、前記平面鏡の回動方向と同じ方向に前記第１角度の２倍である第２角度だけ前記照準用望遠鏡を回動させる第２回動機構と、
前記平面鏡の法線方向と前記照準用望遠鏡の望遠方向が前記太陽光の入射方向と実質的に同じ方向になるように、前記平面鏡と前記照準用望遠鏡の回動初期位置を設定する設定機構と、
を備えたことを特徴とする調整装置。
【請求項２】
支持脚と、
前記支持脚に設けられ、交差する２方向に沿う軸にて各々回動自在な継手と、
前記継手から一方向に伸延する柱形状の部材と、
を有し、
前記平面鏡と前記照準用望遠鏡とは、前記平面鏡の法線方向、前記照準用望遠鏡の望遠方向、及び、前記柱形状の部材の伸延方向が実質的に同じ方向になる状態で、前記柱形状の部材と一体に回動可能であることを特徴とする請求項１に記載の調整装置。
【請求項３】
前記平面鏡及び前記照準用望遠鏡が回動する軸は、前記柱形状の部材と直交していることを特徴とする請求項２に記載の調整装置。
【請求項４】
前記柱形状の部材は、前記伸延方向と垂直な平面を形成するように取り付けられた板部材を有することを特徴とする請求項２または請求項３に記載の調整装置。
【発明の詳細な説明】
【技術分野】
【０００１】
本発明は、太陽光の反射光の反射方向を調整する調整装置に関する。
【背景技術】
【０００２】
無線通信回線において、マイクロ波等の指向性の高い電波が用いられる場合がある。指向性の高い電波は長距離通信が可能である一方、通信局間に障害物がある場合には正確に通信を行うことができないという特質がある。そのため、新たに通信局を設ける際には、新局の設置箇所と対向局の設置箇所の間の見通し確認として、ミラー試験が実施されている。
【０００３】
ミラー試験は、図８に示すように、新局の設置箇所（反射地点）から対向局の設置箇所（目標地点）に向けて太陽光を平面鏡１０で反射させ、対向局の設置箇所で当該太陽光の反射光が確認できるか否かにより見通しの確認をするものである。ミラー試験の際には、反射地点にいる作業者が手作業で平面鏡１０を微調整して太陽光を目標地点の方向に反射させ、目標地点にいる作業者がカメラ１１を反射地点の方向を向けて太陽光の反射光を撮影できるか確認することにより行う。そして、カメラ１１で太陽光の反射光を撮影できた場合、新局の設置箇所と対向局の設置箇所の間に障害物がないと判断される。一方、カメラ１１で太陽光の反射光を撮影できない場合、新局の設置箇所と対向局の設置箇所の間に障害物があるため、新局の設置箇所としては不適切であると判断される。
【発明の概要】
【発明が解決しようとする課題】
【０００４】
新局の設置箇所と対向局の設置箇所の間の距離は、５０ｋｍ程度離れている場合もあり、ミラー試験を行う前段階として手作業で太陽光を確実に目標地点の方向に反射させることに困難性が伴うものとなっている。そのため、太陽光を反射地点から目標地点の方向に反射させていても、目標地点の方向からずれた方向（例えば、図８のＡ方向やＢ方向）に太陽光を反射させてしまっている場合も生じ、その場合にはミラー試験による適切な結果をうることができないという課題がある。
そこで、本発明は、太陽光の反射光が目標地点に向かうように、反射光の反射方向を調整可能な調整装置を提供することを目的とする。
【課題を解決するための手段】
【０００５】
前述した課題を解決する主たる本発明である調整装置は、太陽光の反射光が目標地点に向かうように前記反射光の反射方向を調整する調整装置であって、太陽光を反射する平面鏡と、前記平面鏡から得られる前記反射光の反射方向が所定平面に沿って変化するように、前記平面鏡を回動させる第１回動機構と、前記目標地点を確認するための照準用望遠鏡と、前記照準用望遠鏡の望遠方向が前記所定平面に沿って変化するように、前記平面鏡が第１角度だけ回動することに連動して、前記平面鏡の回動方向と同じ方向に前記第１角度の２倍である第２角度だけ前記照準用望遠鏡を回動させる第２回動機構と、前記平面鏡の法線方向と前記照準用望遠鏡の望遠方向が前記太陽光の入射方向と実質的に同じ方向になるように、前記平面鏡と前記照準用望遠鏡の回動初期位置を設定する設定機構と、を備えている。
本発明の他の特徴については、添付図面及び本明細書の記載により明らかとなる。
【発明の効果】
【０００６】
本発明によれば、太陽光の反射光が目標地点に向かうように、反射光の反射方向を調整することが可能になる。
【図面の簡単な説明】
【０００７】
【図１】本実施形態に係る調整装置の斜視図である。
【図２】本実施形態に係る調整部の第１回動機構と第２回動機構の構成の一例を示す図である。
【図３Ａ】照準用望遠鏡の望遠方向と平面鏡の法線方向とが、太陽光の入射方向を向くように設定された状態を示す図である。
【図３Ｂ】図３Ａの状態から、照準用望遠鏡の望遠方向Ｆ及び平面鏡の法線方向ＭをＸ軸周りに回動させた状態を示す図である。
【図４】調整装置を用いたミラー試験のイメージ図である。
【図５Ａ】調整装置の方角の確認を行う工程を調整装置の＋Ｘ方向から見た図である。
【図５Ｂ】図５Ａに示す工程の後、調整装置の初期の状態を確認するための工程を調整装置の＋Ｘ方向から見た図である。
【図５Ｃ】図５Ｂに示す工程の後、調整装置の太陽方向確認支柱の指示方向が太陽光の入射方向を向くように調整する工程を調整装置の＋Ｘ方向から見た図である。
【図５Ｄ】図５Ｃに示す工程の後、調整装置の平面鏡の平面鏡の法線方向及び照準用望遠鏡の望遠方向Ｆが目標地点を向くように調整する工程を調整装置の＋Ｘ方向から見た図である。
【図６Ａ】図５Ａを調整装置の−Ｙ方向から見た図である。
【図６Ｂ】図５Ｂを調整装置の−Ｙ方向から見た図である。
【図６Ｃ】図５Ｃを調整装置の−Ｙ方向から見た図である。
【図６Ｄ】図５Ｄを調整装置の−Ｙ方向から見た図である。
【図７Ａ】太陽光により太陽方向確認支柱の影がＸ方向に形成された状態を示す図である。
【図７Ｂ】太陽光により太陽方向確認支柱の影がＹ方向に形成された状態を示す図である。
【図７Ｃ】太陽方向確認支柱の影が見えなくなった状態を表す図である。
【図８】従来のミラー試験における課題を説明するための図である。
【発明を実施するための形態】
【０００８】
以下、本発明の本実施形態に係る調整装置について図面を参照して説明する。  
＝＝＝調整装置の構成について＝＝＝
本実施形態に係る調整装置は、上記したミラー試験に用いられ、ミラー試験における太陽光の反射方向の調整作業を効率化するものである。
本実施形態に係る調整装置の構成の一例を図１に示す。
【０００９】
図１は、本実施形態に係る調整装置の斜視図である。本実施形態に係る調整装置１は、太陽光の反射光が目標地点に向かうように、反射光の反射方向を調整する調整装置であり、太陽光を反射する平面鏡１００、目標地点を確認するための照準用望遠鏡２００、平面鏡１００の法線方向と照準用望遠鏡２００の望遠方向とを調整する調整部４００、が支持台３００に取り付けられて構成され、平面鏡１００および照準用望遠鏡２００が調整部４００を介して支持台３００に支持される状態で調整装置１は反射地点に設置される。
【００１０】
尚、図中のＸ軸、Ｙ軸、Ｚ軸はそれぞれ、調整装置１が設置された状態において、Ｚ軸が高さ方向、Ｘ軸がＺ軸と直交し平面鏡１００及び照準用望遠鏡２００を回動させる回転軸の伸びる方向、Ｙ軸はＸ軸及びＺ軸に対していずれも直交する方向を示す軸である。以下の説明では、それぞれ単に「Ｘ方向」、「Ｙ方向」、「Ｚ方向」と表し、矢印の示す方向を＋方向、矢印と逆の方向を−方向と表す。又、Ｘ軸とＹ軸により形成される平面を「ＸＹ平面」、Ｘ軸とＺ軸により形成される平面を「ＸＺ平面」、Ｙ軸とＺ軸により形成される平面を「ＹＺ平面」と表す。
【００１１】
本実施形態に係る調整装置１は、支持台３００の設定機構を用いて平面鏡１００の法線方向と照準用望遠鏡の望遠方向とが太陽光の入射方向と実質的に同じ方向になる回動初期位置に設定されたのち、平面鏡１００と照準用望遠鏡２００を夫々１対２の回転比で連動してＸ軸周りに回動させることにより、照準用望遠鏡２００の望遠方向を太陽光の反射方向と一致させながら、平面鏡１００と照準用望遠鏡２００を調整するものである。尚、以下、太陽光が平面鏡１００に向かって入射する方向を「入射方向Ｌ」、太陽光が平面鏡１００により反射する方向を「反射方向Ｌ’」と言う。
【００１２】
平面鏡１００は、太陽光を反射する反射面を有する部材である。平面鏡１００の反射面は略平坦な形状をなし、太陽光の入射角Ｌに対して略同一の角度の反射角をなすように太陽光を反射する。調整装置１は、太陽光の入射方向Ｌに対応させて設定し、当該入射方向Ｌに対する平面鏡１００の傾き角を後述する第１回動機構４００Ａを用いて調整することにより、平面鏡１００に入射する太陽光を所望の反射方向Ｌ’に反射させる。尚、以下、平面鏡１００の反射面の法線方向を「平面鏡の法線方向Ｍ」と言う。
【００１３】
支持台３００は、平面鏡１００、照準用望遠鏡２００、調整部４００が取り付けられる土台である。支持台３００は、支持脚３０１、接続部３０２、太陽方向確認支柱３０３、太陽方向確認板３０４を備えて構成される。そして、支持台３００は、これらの構成により、調整前において平面鏡１００の法線方向Ｍと照準用望遠鏡２００の望遠方向Ｆが太陽光の入射方向Ｌと実質的に同じ方向になるように、平面鏡１００と照準用望遠鏡２００の回動初期位置を設定する設定機構の役割を担う。
【００１４】
具体的には、支持台３００は、地面に設置される支持脚３０１に、接続部３０２を介して太陽方向確認支柱３０３及び太陽方向確認支柱３０３と一体となった板部材としての太陽方向確認板３０４が取り付けられた構成となっている。そして、支持台３００の太陽方向確認支柱３０３には、調整部４００が取り付けられており、調整部４００を介して平面鏡１００及び照準用望遠鏡２００が取り付けられている。
【００１５】
接続部３０２は、支持脚３０１と太陽方向確認支柱３０３の間を連結して、支持脚３０１に対して太陽方向確認支柱３０３の向きを調整することが可能な連結機構により構成される。
【００１６】
具体的には、接続部３０２は、太陽方向確認支柱３０３をＸ軸周りに回動させる第１連結機構と、太陽方向確認支柱３０３をＺ軸周りに回動させる第２連結機構とを有している。すなわち、第１連結機構と第２連結機構とが交差する２方向に沿う軸にて各々回動自在な継手に相当する。第１連結機構は、作業者の調整操作により、支持脚３０１を地面に固定した状態で接続部３０２を回動の中心として太陽方向確認支柱３０３をＸ軸周りに回動させることができる構成となっている（図中では、Ｒ１の矢印で表す）。接続部３０２の当該第１連結機構は、例えば、接続部３０２と太陽方向確認支柱３０３の接続部分に設けられＸ軸周りに回動するピンジョイントにより構成される。
【００１７】
又、第２連結機構は、作業者の調整操作により、支持脚３０１を地面に固定した状態で接続部３０２を回動の中心として太陽方向確認支柱３０３をＺ軸周りに回動させることができる構成となっている（図中では、Ｒ２の矢印で表す）。接続部３０２の当該第２連結機構は、例えば、接続部３０２と支持脚３０１の接続部分に設けられＺ軸周りに回動するピンジョイントにより構成される。ここで、接続部３０２は、第１連結機構と第２連結機構とが一体となった自在継手を備えている構成であっても構わない。
【００１８】
又、接続部３０２は、クランプレバー（図示せず）を備え、支持脚３０１に対して太陽方向確認支柱３０３の向きを調整した後、上記の第１連結機構及び第２連結機構の回動を固定させることができる構成となっている。
【００１９】
太陽方向確認支柱３０３は、接続部３０２から一方向に伸延する柱形状の部材である。そして、太陽方向確認支柱３０３の伸延する方向が太陽光の入射方向Ｌを向くように、太陽方向確認支柱３０３の向きを調整することにより、太陽方向確認支柱３０３に調整部４００を介して取り付けられている平面鏡１００及び照準用望遠鏡２００の初期位置を設定することができるように構成されている。尚、平面鏡１００及び照準用望遠鏡２００の初期位置の設定方法の詳細は後述する。
ここで、太陽方向確認支柱３０３の向きは、上記したとおり、接続部３０２の連結機構を用いて調整される。尚、以下、太陽方向確認支柱３０３の伸延する方向を「指示方向Ｔ」と言う。
【００２０】
太陽方向確認板３０４は、太陽方向確認支柱３０３に取り付けられた薄板部材である。そして、太陽方向確認板３０４は、太陽方向確認支柱３０３の影を写すための部材である。太陽方向確認板３０４は、太陽方向確認支柱３０３の柱形状の先端位置と接続部３０２の間に、指示方向Ｔと垂直な平面を形成するように取り付けられ、太陽方向確認支柱３０３の指示方向Ｔの変化に応じて、形状が変化された太陽方向確認支柱３０３の影３０３Ｓが映される。これより、本実施形態に係る調整装置１では、太陽方向確認板３０４に映る太陽方向確認支柱３０３の影３０３Ｓを利用して、太陽方向確認支柱３０３の指示方向Ｔを太陽光の入射方向Ｌに設定する。すなわち、影３０３Ｓがなくなる方向に太陽方向確認支柱３０３の指示方向Ｔを向けることにより、太陽方向確認支柱３０３の指示方向Ｔが太陽光の入射方向Ｌに設定される。尚、調整操作の詳細については後述する。
【００２１】
調整部４００は、太陽方向確認支柱３０３に取り付けられ、平面鏡１００と照準用望遠鏡２００を支持するとともに、平面鏡１００と照準用望遠鏡２００を連動して、太陽方向確認支柱３０３の伸延方向と直交するＸ軸周りに回動させる部材である。
【００２２】
具体的には、調整部４００は、平面鏡１００を回動させる第１回動機構４００Ａと、照準用望遠鏡２００を第１回動機構４００Ａと連動して回動させる第２回動機構４００Ｂとを備える。そして、第２回動機構４００Ｂは、第１回動機構４００Ａ（平面鏡１００）がＸ軸周りに第１角度としての角度θだけ回動した場合、照準用望遠鏡２００をＸ軸周りの同じ方向に第２角度としての角度２θだけ回動させる構成となっている。
【００２３】
尚、調整部４００は、太陽方向確認支柱３０３に固定されており、調整部４００と調整部４００に支持される平面鏡１００及び照準用望遠鏡２００は、太陽方向確認支柱３０３の向きの調整がなされる場合、太陽方向確認支柱３０３と一体となって回動する。
【００２４】
照準用望遠鏡２００は、ミラー試験において、太陽光を反射する反射地点から目標地点の位置および反射光の到達位置を確認するための部材である。照準用望遠鏡２００は、例えば、凸レンズと凹レンズの組み合わせにより遠方の物体を拡大して見ることを可能とする。具体的には、照準用望遠鏡２００は、筒形状をなし、当該筒形状の一端に凹レンズが嵌め込まれた覗き窓２０１、当該筒形状の他端に凸レンズが嵌め込まれた受光窓２０２を備える。そして、照準用望遠鏡２００は、受光窓２０２が望遠する方向から受ける光に基づいて、覗き窓２０１で当該方向の物体を拡大して観察させる。調整装置１は、後述する第１回動機構４００Ａ及び第２回動機構４００Ｂを用いて、照準用望遠鏡２００と平面鏡１００とを連動して回動させることにより、照準用望遠鏡２００の望遠方向と平面鏡１００による太陽光の反射方向Ｌ’が同じ方向になるように調整する。尚、以下、照準用望遠鏡２００の受光窓２０２が望遠する方向を「望遠方向Ｆ」と言う。
【００２５】
＝調整部の第１回動機構と第２回動機構の構成について＝
ここで、図２、図３Ａ、図３Ｂを参照して、本実施形態に係る調整部４００の第１回動機構４００Ａと第２回動機構４００Ｂについて説明する。
図２は、本実施形態に係る調整部４００の第１回動機構４００Ａと第２回動機構４００Ｂの構成の一例を示す図である。
【００２６】
第１回動機構４００Ａは、軸部材４０１Ａ、歯車４０２Ａを有し、軸部材４０１Ａの一方の端部に平面鏡１００の側部が連結されるとともに、平面鏡１００から得られる反射光の反射方向Ｌ’が所定平面としてのＹＺ平面に沿って変化するように平面鏡１００を回動させる。
【００２７】
軸部材４０１Ａは、Ｘ方向に伸延する柱状体であり、Ｘ軸周りに自由に回動可能な構成となっている。そして、軸部材４０１Ａには、軸部材４０１Ａとともに回動する歯車４０２Ａを備えている。すなわち、歯車４０２Ａと平面鏡１００は、軸部材４０１Ａに支持され、軸部材４０１Ａを回動の中心として一体となってＸ軸周りに回動する。そして、平面鏡１００の回動に伴って、平面鏡１００から得られる反射光の反射方向Ｌ’は、ＹＺ平面に沿って変化する。
歯車４０２Ａは、平歯車であり、軸部材４０１Ａと一体となってＸ軸周りに回動する。
【００２８】
第２回動機構４００Ｂは、軸部材４０１Ｂ、歯車４０２Ｂ、軸部材４０１Ｂ’、歯車４０２Ｂ’を有し、軸部材４０１Ｂの一方の端部に照準用望遠鏡２００の側部が連結されるとともに、照準用望遠鏡２００の望遠方向Ｆが所定平面としてのＹＺ平面に沿って変化するように照準用望遠鏡２００を回動させる。
【００２９】
軸部材４０１Ｂは、Ｘ方向に伸延する柱状体であり、Ｘ軸周りに自由に回動可能な構成となっている。そして、軸部材４０１Ｂには、軸部材４０１Ｂとともに回動する歯車４０２Ｂを備えている。すなわち、歯車４０２Ｂと照準用望遠鏡２００は、軸部材４０１Ｂに支持され、軸部材４０１Ｂを回動の中心として一体となってＸ軸周りに回動する。すなわち、照準用望遠鏡２００は、軸部材４０１ＢがＸ軸周りに回動することにより、照準用望遠鏡２００の受光窓２０２がＸ軸周りに回動する。
歯車４０２Ｂは、平歯車であり、軸部材４０１Ｂと一体となってＸ軸周りに回動する。
【００３０】
歯車４０２Ｂ’は、Ｘ方向に伸延する柱状体である軸部材４０１Ｂ’に設置され、両端が軸受（図示せず）に支持されてＸ軸周りに自由に回動が可能な構成となっている。
【００３１】
歯車４０２Ｂ’は、平歯車であり、歯車４０２Ａと歯車４０２Ｂとを同一方向に回動させるため、遊び歯車として設置されている。すなわち、歯車４０２Ｂ’は、歯車４０２Ａ及び歯車４０２Ｂとかみ合う状態で配置され、歯車４０２Ａ又は歯車４０２Ｂの一方が回動したとき、他方の歯車に回転力を働かせて、他方の歯車を回動させる。
【００３２】
より具体的には、歯車４０２Ａは、歯車４０２Ｂ’と噛み合う状態で配置され、軸部材４０１Ａの回動により歯車４０２ＡがＸ軸周りに回動した場合、歯車４０２Ａと噛み合っている歯車４０２Ｂ’は歯車４０１Ａと反対方向に回動する。又、歯車４０２Ｂ’は、歯車４０２Ｂと噛み合う状態で配置され、歯車４０２Ｂ’がＸ軸周りに回動した場合、歯車４０２Ｂ’ と噛み合っている歯車４０２Ｂは、歯車４０２Ｂ’と反対方向に回動する。
【００３３】
そして、本実施形態に係る第１回動機構４００Ａと第２回動機構４００Ｂでは、歯車４０２Ａと歯車４０２Ｂの歯数比を２対１とすることにより、歯車４０２ＡをＸ軸周りに第1角度としての角度θだけ回動させた場合、歯車４０２ＢがＸ軸周りの同じ方向に第２角度としての角度２θだけ回動する構成となっている。
【００３４】
すなわち、当該機構により、平面鏡１００をＸ軸周りに角度θだけ回動させた場合、照準用望遠鏡２００がＸ軸周りの同じ方向に角度２θだけ回動する構成としている。言い換えると、当該機構により、平面鏡１００から得られる反射光の反射方向Ｌ’がＹＺ平面に沿って変化するように平面鏡１００を角度θだけ回動させることによって、照準用望遠鏡２００の望遠方向Ｆは、ＹＺ平面に沿って変化するように平面鏡１００の回動方向と同じ方向に角度２θだけ回動する。尚、図１中では、平面鏡１００及び照準用望遠鏡２００のＸ軸周りの回転方向をＲ３の矢印で表している。
【００３５】
図３Ａ、図３Ｂは、第１回動機構４００Ａと第２回動機構４００Ｂにより平面鏡１００及び照準用望遠鏡２００を回動させた場合における望遠方向Ｆ、平面鏡の法線方向Ｍ、太陽光の反射方向Ｌ’の関係を示す図である。
【００３６】
図３Ａは、照準用望遠鏡２００の望遠方向Ｆと平面鏡１００の法線方向Ｍとが、太陽光の入射方向Ｌを向くように設定された状態を示す。尚、第１回動機構４００Ａと第２回動機構４００Ｂは、平面鏡１００又は照準用望遠鏡２００をＸ軸周りに回動させたとき、いずれかの位置で、照準用望遠鏡２００の望遠方向Ｆ、平面鏡１００の法線方向Ｍ、太陽方向確認支柱３０３の指示方向Ｔが同一方向を向くように、平面鏡１００と照準用望遠鏡２００を支持している（以下、望遠方向Ｆ、法線方向Ｍ、指示方向Ｔが同一方向を向いた状態を「初期状態」と言う。）。
【００３７】
そして、図３Ｂは、図３Ａの状態から、照準用望遠鏡２００の望遠方向Ｆ及び平面鏡１００の法線方向ＭをＸ軸周りに回動させた状態を示す。尚、図３Ｂは、第１回動機構４００Ａと第２回動機構４００Ｂにより、照準用望遠鏡２００の望遠方向Ｆと平面鏡１００による太陽光の反射方向Ｌ’を、ＹＺ平面において、同一方向に向けることができることを表している。
【００３８】
具体的には、平面鏡１００の法線方向Ｍが太陽光の入射方向Ｌを向くように設定された状態から、第１回動機構４００Ａに従って平面鏡１００をＸ軸周りに角度θだけ回動させた場合、入射方向Ｌは、ＹＺ平面内において、平面鏡の法線方向Ｍに対して角度θの入射角を形成する。又、平面鏡１００によって反射する太陽光の反射方向Ｌ’も同様に、ＹＺ平面内において、平面鏡１００の法線方向Ｍに対して角度θの反射角を形成する。これより、平面鏡１００の法線方向Ｍが太陽光の入射方向Ｌを向くように設定された状態から、第１回動機構４００Ａに従って平面鏡１００をＸ軸周りに角度θだけ回動させた場合、平面鏡１００による太陽光の反射方向Ｌ’は、ＹＺ平面内で入射方向Ｌに対して角度２θの角度を形成する。
【００３９】
一方、照準用望遠鏡２００の望遠方向Ｆは、平面鏡１００の法線方向ＭをＸ軸周りに角度θだけ回動させた場合、第２回動機構４００Ｂにより、Ｘ軸周りに角度２θだけ回動するように構成されている。
【００４０】
従って、照準用望遠鏡２００の望遠方向Ｆと平面鏡１００の法線方向Ｍとが太陽光の入射方向Ｌを向くように設定された状態から、平面鏡１００の法線方向ＭをＸ軸周りに角度θだけ回動させた場合、照準用望遠鏡２００の望遠方向ＦはＸ軸周りに角度２θだけ回動し、照準用望遠鏡２００の望遠方向Ｆと反射方向Ｌ’はＹＺ平面内において同一方向を向くことになる。
【００４１】
以上のように、本実施形態に係る調整装置１は、第１回動機構４００Ａと第２回動機構４００Ｂにより、照準用望遠鏡２００の望遠方向Ｆを太陽光の反射方向Ｌ’を同一方向に向けながら、照準用望遠鏡２００又は平面鏡１００を回動できる構成としている。
【００４２】
＝＝＝調整装置の操作手順について＝＝＝
以下、図４、図５Ａ〜図５Ｄ、図６Ａ〜図６Ｄ、図７Ａ〜図７Ｃを参照して、本実施形態に係る調整装置を用いてミラー試験を行う際の操作手順について説明する。
図４は、調整装置を用いたミラー試験のイメージ図である。
図５Ａ〜図５Ｄは、ミラー試験を行うための操作手順を調整装置の側面図（＋Ｘ方向から見た図）により示した図である。
【００４３】
ここで、図５Ａは、調整装置の方角の確認を行う工程を表す（以下、「第１工程」と言う。）。又、図５Ｂは、図５Ａに示す工程の後、調整装置の初期の状態を確認するための工程を表す（以下、「第２工程」と言う。）。又、図５Ｃは、図５Ｂに示す工程の後、調整装置の太陽方向確認支柱３０３の指示方向Ｔが太陽光の入射方向Ｌを向くように調整する工程を表す（以下、「第３工程」と言う。）。又、図５Ｄは、図５Ｃに示す工程の後、調整装置の平面鏡１００の平面鏡の法線方向Ｍ及び照準用望遠鏡２００の望遠方向Ｆが目標地点を向くように調整する工程を表す（以下、「第４工程」と言う。）。
又、図６Ａ〜図６Ｄは、図５Ａ〜図５Ｄに示す各工程を、調整装置の正面図（−Ｙ方向から見た図）により示した図である。
【００４４】
又、図７Ａ〜図７Ｃは、太陽方向確認板３０４に映る太陽方向確認支柱３０３の影３０３Ｓを示した図である。尚、図７Ａ〜図７Ｃは、太陽方向確認支柱３０３の指示方向Ｔから見た図である。
以下、上記の各工程について説明する。
【００４５】
本実施形態に係るミラー試験は、図４に示すように、調整装置１を新局の設置箇所（図４の反射地点）に設置し、対向局の設置箇所（図４の目標地点）に向けて太陽光を平面鏡１００により反射させ、対向局の設置箇所で当該太陽光の反射光が確認できるか否かにより行う。
図５Ａ、図６Ａに示す第１工程は、調整装置１を反射地点に設置した状態で、照準用望遠鏡２００を目標地点の方角に向ける工程である。
【００４６】
本工程は、作業者が調整装置１の照準用望遠鏡２００を用いて、目標地点を観察できるように調整装置１の接続部３０２を水平方向（Ｒ２）に回動させることにより行う。そして、作業者が照準用望遠鏡２００の覗き窓２０１を覗いて目標地点が観察できたときの方角を、ＹＺ平面（平面鏡１００及び照準用望遠鏡２００を回動させる回転軸と垂直な平面）として設定する。そして、第２工程から第４工程では、当該ＹＺ平面において、太陽方向確認支柱３０３、第１回動機構４００Ａ、第２回動機構４００Ｂにより、太陽光を反射させる反射方向Ｌ’を調整する。
【００４７】
尚、ＹＺ平面を設定するための本工程は、第４工程の準備として、第１回動機構４００Ａと第２回動機構４００Ｂにより平面鏡１００及び照準用望遠鏡２００を回動させる基準平面を確定する意義を有する。尚、ＹＺ平面とは、上記したとおり、平面鏡１００及び照準用望遠鏡２００を回動させる回転軸と垂直な平面を意味しており、必ずしも地面に対して垂直な面である必要はない。
【００４８】
図５Ｂ、図６Ｂに示す第２工程は、太陽方向確認支柱３０３の指示方向Ｔ、照準用望遠鏡２００の望遠方向Ｆ、平面鏡１００による平面鏡の法線方向Ｍを同一方向に向け、初期状態にセットする工程である。
本工程は、具体的には、作業者が第１回動機構４００Ａと第２回動機構４００Ｂを回動させることにより行う。
【００４９】
尚、本工程は、第３工程で、照準用望遠鏡２００の望遠方向Ｆ及び平面鏡１００の法線方向Ｍを、入射方向Ｌと同一方向に向けるための準備工程である。本工程においては照準用望遠鏡２００と平面鏡１００は、太陽方向確認支柱３０３と一体として回動する。そのため、本工程で指示方向Ｔ、望遠方向Ｆ、平面鏡の法線方向Ｍを同一方向に向けることによって、太陽方向確認支柱３０３の指示方向Ｔを入射方向Ｌに向けた場合に、同時に望遠方向Ｆ、平面鏡の法線方向Ｍを入射方向Ｌに向けることができる。
図５Ｃ、図６Ｃに示す第３工程は、太陽方向確認支柱３０３により太陽光の入射方向Ｌを確定する工程である。
【００５０】
本工程は、上記したように、望遠方向Ｆ及び平面鏡の法線方向Ｍを入射方向Ｌと実質的に同じ方向になるように、平面鏡１００と照準用望遠鏡２００の回動初期位置を設定するための工程である。尚、実質的に同じ方向にするとは、ＹＺ平面において照準用望遠鏡２００の望遠方向Ｆ及び平面鏡１００の法線方向Ｍが、太陽光の入射方向Ｌと同じ方向になるようにすることを意味している。
【００５１】
本工程は、具体的には、太陽光により太陽方向確認板３０４に映る太陽方向確認支柱３０３の影３０３Ｓを利用して、太陽方向確認支柱３０３の指示方向Ｔを太陽光の入射方向Ｌに向けることにより行う。太陽方向確認支柱３０３は一方向に伸延する柱形状の部材であるから、板状の太陽方向確認板３０４には、図７Ａ、図７Ｂに示すように、太陽光により太陽方向確認支柱３０３の影３０３Ｓが形成される。そして、影３０３Ｓの形状は、太陽光の入射方向Ｌと、太陽方向確認支柱３０３の指示方向Ｔとの関係で定まる。
【００５２】
従って、図７Ｃに示すように、太陽方向確認板３０４に映る太陽方向確認支柱３０３の影３０３Ｓが見えなくなるように接続部３０２を調整して太陽方向確認支柱３０３の向きを変えることによって、太陽方向確認支柱３０３の指示方向Ｔを太陽光の入射方向Ｌに向けることができる。
【００５３】
尚、図７Ｃは、図７Ｂの状態から、太陽方向確認支柱３０３をＸ軸周り（Ｒ１）に回動することにより太陽方向確認支柱３０３の影３０３Ｓが見えなくなった状態を表す。
図５Ｄ、図６Ｄに示す第４工程は、照準用望遠鏡２００を用いて目標地点を確認し、反射光の反射方向Ｌ’を目標地点に向ける工程である。
【００５４】
本工程は、作業者が、照準用望遠鏡２００の覗き窓２０１により望遠方向Ｆを観察しながら、照準用望遠鏡２００を第２回動機構４００ＢによりＸ軸周りに回動させることにより行う。本工程において、作業者が、照準用望遠鏡２００を第２回動機構４００Ｂにより当該ＹＺ平面に沿って角度２θだけ回動させたとき、平面鏡１００は第１回動機構４００Ａにより当該ＹＺ平面に沿って同じ方向に角度θだけ回動する。これにより、照準用望遠鏡２００の望遠方向Ｆを目標地点の方向へ向けたとき、平面鏡１００による反射光の反射方向Ｌ’を目標地点の方向へ向けることができる。
尚、本工程では、太陽方向確認支柱３０３は、第３工程で指示方向Ｔを確定した状態のまま固定している。
【００５５】
以上、本実施形態に係る調整装置１によれば、作業者が、反射光を目標地点に向けて確実に照射することができる。これによって、太陽光の反射方向Ｌ’を調整するための煩雑な作業を簡略化し、作業効率を向上させることができる。
【００５６】
具体的には、入射方向Ｌに対する太陽光の反射方向Ｌ’は、入射方向Ｌと平面鏡１００の法線方向Ｍとがなす角度θの２倍の角度２θをなすので、本実施形態の調整装置１にように、第１回動機構４００Ａにより平面鏡１００が角度θだけ回動することに連動して、照準用望遠鏡２００が第２回動機構４００Ｂにより第１角度の２倍である角度２θだけ回動することにより、太陽光の平面鏡１００に対する入射角度Ｌに対して照準用望遠鏡２００の望遠方向Ｆを反射方向Ｌ’と合わせることが可能である。このため、照準用望遠鏡２００により平面鏡１００により反射した反射光の到達位置を確認することが可能である。このとき、調整前の平面鏡１００の法線方向Ｍと照準用望遠鏡２００の望遠方向Ｆが太陽光の入射方向Ｌと実質的に同じ方向を向いていなければならないが、本実施形態の調整装置１は、平面鏡１００の法線方向Ｍと、照準用望遠鏡２００の望遠方向Ｆとが太陽光の入射方向Ｌと実質的に同じ方向になるように設定する設定機構を備えているので、設定機構により設定された回動初期位置を基準として調整を行うことが可能である。このため、太陽光の反射光が目標地点に向かうように、反射光の反射方向Ｌ’を調整することが可能である。
【００５７】
また、支持脚３０１に支持されて、平面鏡１００の法線方向Ｍ、照準用望遠鏡２００の望遠方向Ｆ、及び、太陽方向確認支柱３０３の伸延方向が実質的に同じ方向になる状態で、接続部３０２から伸延する太陽方向確認支柱３０３を回動させることにより、平面鏡１００の法線方向Ｍと照準用望遠鏡２００の望遠方向Ｆとを容易に太陽光の入射方向Ｌと実質的に同じ方向になるように設定することが可能である。
【００５８】
また、平面鏡１００及び照準用望遠鏡２００がいずれも太陽方向確認支柱３０３と直交するＸ軸周りに回動するので、設定された回動初期位置からＹＺ平面に沿って回動させることが可能である。すなわち、平面鏡１００の法線方向Ｍ及び照準用望遠鏡２００の望遠方向ＦをいずれもＹＺ平面に沿って変化させることが可能である。
【００５９】
また、太陽方向確認支柱３０３に、伸延方向と垂直な平面を形成するように太陽方向確認板３０４が取り付けられているので、太陽方向確認支柱３０３の伸延方向が太陽に向いていると、太陽方向確認支柱３０３の影３０３Ｓが太陽方向確認支柱３０３と重なって太陽方向確認板３０４に映る影３０３Ｓがなくなる。このため、太陽方向確認板３０４に映る太陽方向確認支柱３０３の影３０３Ｓがなくなる方向に太陽方向確認支柱３０３の伸延方向を合わせることにより、より正確に回動初期位置に設定することが可能である。
【００６０】
尚、上記実施形態では、調整装置１から目標地点へ向かう方角と、調整装置１から太陽へ向かう方角が同一方向である場合について説明した。言い換えると、図６Ｂ〜図６Ｄに示すように、太陽光の入射方向Ｌが、ＸＺ平面で見たときに平面鏡１００の法線方向Ｍと同一の方向を向く場合について説明している。一方、目標地点の方角によっては、ＸＺ平面で見た場合に入射方向Ｌと平面鏡１００の法線方向Ｍとが同一方向とならない場合がある。
【００６１】
しかし、そのような場合であっても、本実施形態に係る調整装置１によれば、特に問題なくミラー試験を実施することができる。具体的には、太陽光の入射方向は完全な同一方向を向くものではなく、又、乱反射や散乱により反射方向も変化することから、調整装置により、図５Ｄに示すようにＹＺ平面で見た場合に反射方向Ｌ’を目標地点に向けることができれば、一定量の反射光は確実に目標地点に照射することができるためである。すなわち、本実施形態に係る調整装置１では、第３工程で、ＹＺ平面において照準用望遠鏡２００の望遠方向Ｆ及び平面鏡１００の法線方向Ｍが太陽光の入射方向Ｌと同じ方向になるように調整するため、ＸＺ平面で見た場合に入射方向Ｌと平面鏡１００の法線方向Ｍとが同一方向とならない場合でも、上記の効果を得ることができる。
【００６２】
他方、目標地点に照射する反射光の光量を多くするため、ＸＺ平面で見た場合の入射方向Ｌと平面鏡１００の法線方向Ｍのずれを調整するべく、平面鏡１００に角度調整可能な機構を設ける構成としてもよい。例えば、平面鏡１００の側部が連結されている軸部材４０１Ａとの間に、平面鏡１００をＹ軸周りに傾けることが可能なピンジョイントを設ける構成とすればよい。
【００６３】
又、目標地点に照射する反射光の光量を多くするための他の態様として、調整装置の接続部３０２の連結機構に太陽方向確認支柱３０３をＹ軸周りにも回動が可能な構成を設けてもよい。当該構成により、調整装置と目標地点の方角と調整装置と太陽の方角によらず、第３工程において太陽方向確認支柱３０３の指示方向Ｔと入射方向Ｌを完全に一致させることができる。但し、当該構成の場合、第１工程で確定したＹＺ平面にずれが生ずるため、太陽方向確認支柱３０３のＹ軸周りの太陽方向確認支柱３０３の向きを固定した状態で、再度、第１工程から行うのが望ましい。
【００６４】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００６５】
１  調整装置
１００  平面鏡
２００  照準用望遠鏡
２０１  覗き窓
２０２  受光窓
３００  支持台
３０１  支持脚
３０２  接続部
３０３  太陽方向確認支柱
３０３Ｓ  影
３０４  太陽方向確認板
４００  調整部
４００Ａ  第１回動機構
４００Ｂ  第２回動機構
４０１Ａ  軸部材
４０１Ｂ  軸部材
４０２  歯車
４０２Ａ  歯車
４０２Ｂ  歯車
Ｆ  望遠方向
Ｌ  入射方向
Ｌ’  反射方向
Ｍ  法線方向
Ｔ  指示方向
【図１】
0006533954.tif 000002
【図２】
0006533954.tif 000003
【図３Ａ】
0006533954.tif 000004
【図３Ｂ】
0006533954.tif 000005
【図４】
0006533954.tif 000006
【図５Ａ】
0006533954.tif 000007
【図５Ｂ】
0006533954.tif 000008
【図５Ｃ】
0006533954.tif 000009
【図５Ｄ】
0006533954.tif 000010
【図６Ａ】
0006533954.tif 000011
【図６Ｂ】
0006533954.tif 000012
【図６Ｃ】
0006533954.tif 000013
【図６Ｄ】
0006533954.tif 000014
【図７Ａ】
0006533954.tif 000015
【図７Ｂ】
0006533954.tif 000016
【図７Ｃ】
0006533954.tif 000017
【図８】
0006533954.tif 000018